(57)【要約】【課題】  円形ディスク専用ラベルの中央カット領域を有効に活用することができる印刷装置を提供すること。【解決手段】  中央カット領域１０１に対するディスク中央部印刷データを環状ラベル領域１０２に対するメイン印刷データに割り付けて、新たなメイン印刷データとする。当該新たなメイン印刷データは、円形ディスク専用ラベル８に対し、中央カット領域１０１と環状ラベル領域１０２に印刷される。その結果、中央カット領域１０１にはディスク中央部印刷データが印刷され、環状ラベル領域１０２には割付前の当初のメイン印刷データが印刷される。【選択図】  図９
2006102951.tif 000002
【特許請求の範囲】
【請求項１】
中央に切取線で区画された中央カット領域と、前記中央カット領域を環囲する環状ラベル領域とを有する円形ディスク専用ラベルと、
前記環状ラベル領域に印刷するための環状ラベル印刷データを、前記円形ディスク専用ラベルに印刷するための円形ディスク専用ラベル印刷データに割り付けて、その円形ディスク専用ラベル印刷データと共に記憶する印刷データ記憶手段と、
前記円形ディスク専用ラベル印刷データを前記円形ディスク専用ラベルに印刷する印刷手段とを備えた印刷装置において、
前記中央カット領域に印刷するための中央カット印刷データを前記円形ディスク専用ラベル印刷データに割り付ける印刷データ合成手段を備えたことを特徴とする印刷装置。
【請求項２】
請求項１に記載する印刷装置において、
前記中央カット印刷データは、日時情報、ページ情報、テキスト情報、イメージ情報を含む各種情報の内、少なくとも１つの情報であることを特徴とする印刷装置。
【請求項３】
請求項２に記載する印刷装置において、
前記中央カット印刷データである少なくとも１つの情報を選択する選択手段を備え、
前記印刷データ合成手段は、前記選択手段で選択された情報からなる前記中央カット印刷データを、前記円形ディスク専用ラベル印刷データに割り付けることを特徴とする印刷装置。
【発明の詳細な説明】
【技術分野】
【０００１】
本発明は、円形ディスク専用ラベルを印刷する印刷装置に関するものである。
【背景技術】
【０００２】
近年、データ記録用の円形ディスク、特に、書き込み或いは書き換え可能な製品においては、書き込み或いは書き換えたデータのタイトルなどが印刷された円形ディスク専用ラベルを、センターホールを除いた片側の全面に貼着あるいは貼り換えることが行われている（例えば、特許文献１参照）。
【特許文献１】特開２００４−２２１６０号公報
【０００３】
そこで、円形ディスク専用ラベルの印刷に関して説明すると、従来では、例えば、図１０（ａ）に示すように、中央カット領域１０１と環状ラベル領域１０２とが切取線Ｌ１，Ｌ２で区画された円形ディスク専用ラベル８が用意され、その円形ディスク専用ラベル８に対し、図１０（ｂ）に示すように、環状ラベル領域１０２にはタイトルなど（図１０（ｂ）では、「Ｍｙ  Ｂｅｓｔ  Ｍｕｓｉｃ」）を印刷し、中央カット領域１０１には何も印刷しないことが多かった。
【０００４】
なぜなら、その後は、図１０（ｃ）に示すように、円形ディスク専用ラベル８の環状ラベル領域１０２は、切取線Ｌ１，Ｌ２を介して分離され、データ記録用の円形ディスクＤに貼付される一方、円形ディスク専用ラベル８の中央ラベル領域１０１は、切取線Ｌ１を介して分離されても、データ記録用の円形ディスクＤのセンターホールを確保するために、データ記録用の円形ディスクＤに貼付されることなく、ゴミ箱Ｇなどに廃棄されることが多かったからである。
【０００５】
従って、円形ディスク専用ラベル８の中央ラベル領域１０１は、何も利用されることなく破棄されることが殆どであるから、資源の無駄遣いになっていた。
【発明の開示】
【発明が解決しようとする課題】
【０００６】
そこで、本発明は、上述した点を鑑みてなされたものであり、円形ディスク専用ラベルの中央カット領域を有効に活用することができる印刷装置を提供することを課題とする。
【課題を解決するための手段】
【０００７】
この課題を解決するために成された請求項１に係る発明は、中央に切取線で区画された中央カット領域と、前記中央カット領域を環囲する環状ラベル領域とを有する円形ディスク専用ラベルと、前記環状ラベル領域に印刷するための環状ラベル印刷データを、前記円形ディスク専用ラベルに印刷するための円形ディスク専用ラベル印刷データに割り付けて、その円形ディスク専用ラベル印刷データと共に記憶する印刷データ記憶手段と、前記円形ディスク専用ラベル印刷データを前記円形ディスク専用ラベルに印刷する印刷手段とを備えた印刷装置において、前記中央カット領域に印刷するための中央カット印刷データを前記円形ディスク専用ラベル印刷データに割り付ける印刷データ合成手段を備えたことを特徴としている。
【０００８】
また、請求項２に係る発明は、請求項１に記載する印刷装置において、前記中央カット印刷データは、日時情報、ページ情報、テキスト情報、イメージ情報を含む各種情報の内、少なくとも１つの情報であることを特徴としている。
【０００９】
尚、「日時情報」には、年・日付・曜日などの暦を示す情報や、時・分・秒などをの時刻を示す情報などがある。
【００１０】
また、請求項３に係る発明は、請求項２に記載する印刷装置において、前記中央カット印刷データである少なくとも１つの情報を選択する選択手段を備え、前記印刷データ合成手段は、前記選択手段で選択された情報からなる前記中央カット印刷データを、前記円形ディスク専用ラベル印刷データに割り付けることを特徴としている。
【発明の効果】
【００１１】
すなわち、本発明の印刷装置では、中央カット印刷データを円形ディスク専用ラベル印刷データに割り付けることによって、円形ディスク専用ラベルの中央カット領域に中央カット印刷データが印刷されるので、中央カット印刷データの印刷内容によって、円形ディスク専用ラベルの中央カット領域の新たな用途が生まれ、円形ディスク専用ラベルの中央カット領域を有効に活用することができることから、資源の無駄遣いがなくなる。
【００１２】
また、本発明の印刷装置において、中央カット印刷データの印刷内容には、例えば、日時情報、ページ情報、テキスト情報、イメージ情報などがあり、円形ディスク専用ラベルの中央カット領域の新たな用途を広げることが可能である。
【００１３】
また、本発明の印刷装置において、中央カット印刷データの印刷内容を選択できるようにすれば、編集作業が容易となる。
【発明を実施するための最良の形態】
【００１４】
以下に本発明の実施例を図面と共に説明する。まず図７は、本実施の形態の印刷装置２の外観を表す外観図である。
【００１５】
本実施の形態の印刷装置２では、例えば、図９（ａ）に示すように、中央カット領域１０１と環状ラベル領域１０２とを切取線Ｌ１，Ｌ２で区画した円形ディスク専用ラベル８が長尺状の印刷用テープＴに多数配列セットされ、その円形ディスク専用ラベル８に対し、図９（ｂ）に示すように、環状ラベル領域１０２に情報など（図９（ｂ）では、「Ｍｙ  Ｂｅｓｔ  Ｍｕｓｉｃ」）を印刷し、それと同時に、中央カット領域１０１にも情報など（図９（ｂ）では、「２０００年  夏」）を印刷することができるものである。
【００１６】
従って、印刷後の円形ディスク専用ラベル８については、図９（ｃ）に示すように、円形ディスク専用ラベル８の環状ラベル領域１０２は、切取線Ｌ１，Ｌ２により分離されて、データ記録用の円形ディスクＤに貼付される一方、円形ディスク専用ラベル８の中央ラベル領域１０１は、切取線Ｌ１により分離されて、例えば、円形ディスクＤを収めるジャケットＪなどに貼付される。
【００１７】
そして、印刷装置２は、図７に示す如く、本体フレーム４の前面部には、キーボード６が配設されており、キーボード６の上方で本体フレーム４内部には印刷用テープＴの円形ディスク専用ラベル８に文字などを印刷するための後記印刷機構ＰＭが備えられている。また、キーボード６の上方で本体フレーム４の表面には湾曲した湾曲フレーム部４ａがあり、この湾曲フレーム部４ａに、文字や記号、画像などを表示する液晶ディスプレイ（以下、ＬＣＤという）１０が設けられている。
【００１８】
キーボード６には、アルファベット，ひらがな，数字，及び記号等を入力するための文字キー、スペースキー、ＬＣＤ１０に表示された文字列を左右にスクロールさせるカーソルキー、無変換キー、変換キー、文字入力コードを「ローマ字」と「ひらがな」と「アルファベット」のうちから択一的に切換えて設定するための入力モード切換えキー、印刷フォーマットを設定するためのフォーマット設定キー、印刷を実行する印刷キー、印刷用テープＴをテープ送りするためのテープ送りキー、及び電源をＯＮ・ＯＦＦするための電源キー等、種々のキーが備えられている。
【００１９】
また、印刷機構ＰＭは、上下方向に所定数の通電発熱素子を列設した周知のサーマルヘッド１２（図８参照）を備えており、通電したサーマルヘッド１２に、所定幅の印刷用テープＴとインクリボンとを供給することにより、印刷用テープＴの円形ディスク専用ラベル８の表面に複数のドット列からなる文字や記号や画像などを印刷する。そして、このように印刷された印刷用テープＴには、両面テープが接合されて、本体フレーム４の側面部から外部に送り出されるようになっている。
【００２０】
尚、このような印刷用テープＴ，インクリボン，及び両面テープ等は図示しない矩形状のテープ収納カセットに一体的に内蔵されており、簡単に取り替え可能となっている。また、図示しないセンサーによって、テープ収納カセットに内蔵されている印刷用テープＴの種別を検出することも可能である。すなわち、本実施例では、印刷用テープＴの種別は円形ディスク専用ラベル用であるが、他の種別のもの（例えば、方形ディスク専用ラベル、テープ状ラベル）であっても印刷することは可能である。次に、印刷装置２の制御系の構成について図８を用いて説明する。
【００２１】
図８に示す如く、印刷装置２の制御系の中核をなす制御回路１４は、中央処理装置（ＣＰＵ）１６と、パターンデータメモリ（以下、ＣＧＲＯＭという）１８と、ＲＯＭ２０，２２と、ＲＡＭ２４と、入出力インターフェース２６と、これらを接続するバス２８などとから構成されている。
【００２２】
そして、入出力インターフェース２６には、キーボード６と、ＬＣＤ１０に表示データを出力するための表示用ＲＡＭを備えたディスプレイコントローラ（以下、ＬＣＤＣという）３０と、サーマルヘッド１２を駆動するための駆動回路３２と、上述の印刷用テープＴ，インクリボン，及び両面テープ等を巻装した複数のスプール及び各種ローラ等を回転させることにより印刷用テープＴを外部に送り出すテープ送りモータ３４を駆動するための駆動回路３６と、警告用ブザー３８を駆動するための駆動回路４０と、ワードプロセッサ等の外部装置ＷＰから送出される文書データなどを受信するためのインターフェースボード（以下、Ｉ／Ｆボードという）４２とが夫々接続されている。
【００２３】
ＣＧＲＯＭ１８には、夫々のキャラクタを表示するためのドットパターンデータが、夫々のコードデータに対応して格納されており、ＲＯＭ２０には、夫々のキャラクタを印刷するための各キャラクタの輪郭線を規定する輪郭線データ（アウトラインデータ）が、書体（ゴシック系書体，明朝体系書体等）毎に分類されて、夫々のコードデータに対応して格納されている。
【００２４】
また、ＲＡＭ２４は、各種の情報（データ）が格納される複数のメモリ領域が確保されている。そして、ＲＯＭ２２には、ＣＰＵ１６が実行する各制御プログラムが記憶されている。
【００２５】
次に、印刷装置２の制御動作について、図１乃至図６に基づいて説明する。図１及び図２はメイン処理の手順を示したフローチャートである。図３は本体印刷処理の手順を示したフローチャートである。図４はＩ／Ｆ印刷処理の手順を示したフローチャートである。図５はディスク印刷データ作成処理の手順を示したフローチャートである。図６はディスク印刷種類設定処理の手順を示したフローチャートである。
【００２６】
すなわち、印刷装置２では、メイン処理のプログラムを実行すると、図１に示すように、まず、Ｓ１１において、イニシャル処理が行われ、各種の初期条件を設定すると、Ｓ１２に進む。Ｓ１２では、キー読み込み処理が行われ、キーボード６のキー入力を読み込むと、Ｓ１３に進む。Ｓ１３では、Ｉ／Ｆ受信処理が行われ、外部装置ＷＰからの受信データを読み込むと、Ｓ１４に進む。Ｓ１４では、媒体種類検出処理が行われ、図示しない矩形状のテープ収納カセットの種類を判断すると、Ｓ１５に進む。Ｓ１５では、日時情報更新処理が行われ、例えば、西暦・和暦・月・日・曜日・時・分・秒からなる日時情報の更新を行い、Ｓ１６に進む。
【００２７】
尚、日時情報は、ＲＡＭ２４に確保されたメモリ領域に上書きで記憶される。
【００２８】
Ｓ１６では、上記Ｓ１２でキー入力があったか否かを判断する。このとき、上記Ｓ１２でキー入力があったと判断する場合には（Ｓ１６：ＹＥＳ）、Ｓ１７に進む。
【００２９】
Ｓ１７では、上記Ｓ１２でのキー入力が日時を設定するためのキーであるか否かを判断する。このとき、上記Ｓ１２でのキー入力が日時を設定するためのキーであると判断する場合には（Ｓ１７：ＹＥＳ）、Ｓ１８に進んで、日時設定処理が行われ、例えば、西暦・和暦・月・日・曜日・時・分・秒からなる日時情報の設定をユーザー自らのキー入力による指示で行い、ＲＡＭ２４に確保されたメモリ領域に上書きで日時情報を記憶した後に、上述したＳ１２に戻る。一方、上記Ｓ１２で日時を設定する為のキー入力がなかったと判断する場合には（Ｓ１６：ＮＯ）、Ｓ１９に進む。
【００３０】
Ｓ１９では、上記Ｓ１２でのキー入力がテキスト入力するためのキーであるか否かを判断する。このとき、上記Ｓ１２でのキー入力がテキスト入力するためのキーであると判断する場合には（Ｓ１９：ＹＥＳ）、Ｓ２０に進んで、テキスト編集処理が行われ、ＲＡＭ２４に確保されたメモリ領域を使用してテキストの編集を行い、上述したＳ１２に戻る。一方、上記Ｓ１２でのキー入力がテキスト入力するためのキーでないと判断する場合には（Ｓ１９：ＮＯ）、Ｓ２１に進む。
【００３１】
Ｓ２１では、上記Ｓ１２でのキー入力がディスク中央部のテキスト入力するためのキーであるか否かを判断する。ここで、ディスク中央部とは、円形ディスク専用ラベル８の中央カット領域１０１を指す。このとき、上記Ｓ１２でのキー入力がディスク中央部のテキスト入力するためのキーであると判断する場合には（Ｓ２１：ＹＥＳ）、Ｓ２２に進んで、ディスク中央部編集処理が行われ、ＲＡＭ２４に確保されたメモリ領域を使用してディスク中央部に対するテキストの編集を行い、上述したＳ１２に戻る。一方、上記Ｓ１２でのキー入力がディスク中央部のテキスト入力するためのキーでないと判断する場合には（Ｓ２１：ＮＯ）、Ｓ２３に進む。
【００３２】
Ｓ２３では、上記Ｓ１２でのキー入力が印刷開始するための印刷キーであるか否かを判断する。このとき、上記Ｓ１２でのキー入力が印刷開始するための印刷キーであると判断する場合には（Ｓ２３：ＹＥＳ）、Ｓ２４に進んで、後述する本体印刷処理が行われた後に、上述したＳ１２に戻る。一方、上記Ｓ１２でのキー入力が印刷開始するための印刷キーでないと判断する場合には（Ｓ２３：ＮＯ）、Ｓ２５に進む。
【００３３】
Ｓ２５では、上記Ｓ１２でのキー入力がディスク印刷の種類を選択するためのキーであるか否かを判断する。このとき、上記Ｓ１２でのキー入力がディスク印刷の種類を選択するためのキーであると判断する場合には（Ｓ２５：ＹＥＳ）、Ｓ２６に進んで、後述するディスク印刷種類設定処理が行われた後に、上述したＳ１２に戻る。一方、上記Ｓ１２でのキー入力がディスク印刷の種類を選択するためのキーでないと判断する場合には（Ｓ２５：ＮＯ）、Ｓ２７に進んで、その他の処理が行われた後に、上述したＳ１２に戻る。
【００３４】
また、上記Ｓ１６において、上記Ｓ１２でキー入力がなかったと判断する場合には（Ｓ１６：ＮＯ）、図２のフローチャートに移って、Ｓ３１に進む。
【００３５】
Ｓ３１では、外部装置ＷＰからデータの受信があるか否かを判断する。このとき、外部装置ＷＰからデータの受信がないと判断する場合には（Ｓ３１：ＮＯ）、図１のフローチャートに移って、上述したＳ１２に戻る。一方、外部装置ＷＰからデータの受信があると判断する場合には（Ｓ３１：ＹＥＳ）、Ｓ３２に進む。
【００３６】
Ｓ３２では、上記Ｓ３１で受信したデータが印刷データであるか否かを判断する。このとき、上記Ｓ３１で受信したデータが印刷データであると判断する場合には（Ｓ３２：ＹＥＳ）、Ｓ３３に進んで、Ｉ／Ｆ印刷データ作成が行われ、ＲＡＭ２４に確保されたメモリ領域を使用してテキストの編集を行い、図１のフローチャートに移って、上述したＳ１２に戻る。一方、上記Ｓ３１で受信したデータが印刷データでないと判断する場合には（Ｓ３２：ＮＯ）、Ｓ３４に進む。
【００３７】
Ｓ３４では、上記Ｓ３１で受信したデータがディスク中央部用データであるか否かを判断する。ここで、ディスク中央部とは、上述したように、円形ディスク専用ラベル８の中央カット領域１０１を指す。このとき、上記Ｓ３１で受信したデータがディスク中央部用データであると判断する場合には（Ｓ３４：ＹＥＳ）、Ｓ３５に進んで、ディスク中央部用イメージデータ作成が行われ、ＲＡＭ２４に確保されたメモリ領域を使用してディスク中央部に対するイメージデータ（写真などの画像データ）の編集を行い、図１のフローチャートに移って、上述したＳ１２に戻る。一方、上記Ｓ３１で受信したデータがディスク中央部用データでないと判断する場合には（Ｓ３４：ＮＯ）、Ｓ３６に進む。
【００３８】
Ｓ３６では、上記Ｓ３１で受信したデータが印刷開始コマンドであるか否かを判断する。このとき、上記Ｓ３１で受信したデータが印刷開始コマンドであると判断する場合には（Ｓ３６：ＹＥＳ）、Ｓ３７に進んで、後述するＩ／Ｆ印刷処理を行った後に、図１のフローチャートに移って、上述したＳ１２に戻る。一方、上記Ｓ３１で受信したデータが印刷開始コマンドでないと判断する場合には（Ｓ３６：ＮＯ）、Ｓ３８に進んで、その他のコマンド処理を行う。その他のコマンドには、印刷装置の処理状態やエラー状態等を問い合わせてくるステータスコマンド、用紙送りを指示するフィードコマンド等がある。その後、図１のフローチャートに移って、上述したＳ１２に戻る。
【００３９】
次に、図１のＳ２４の本体印刷処理について、図３に基づいて説明する。図１のＳ２４の本体印刷処理では、図３に示すように、まず、Ｓ４１において、ＲＡＭ２４に確保されたページカウンタの初期化を行う。ページカウンタには、ディスク用ラベルを複数枚連続して印刷する時などに、印刷枚数をカウントするためのものである。その後、Ｓ４２に進む。
【００４０】
Ｓ４２では、ＲＡＭ２４に確保されたメモリ領域を使用して、テキスト編集されたデータからメイン印刷データを作成し、Ｓ４３に進む。
【００４１】
Ｓ４３では、上記Ｓ１４で検出した印刷媒体がディスク用ラベルであるか否かを判断する。ここで、ディスク用ラベルとは、円形ディスク専用ラベル８を指す。このとき、上記Ｓ１４で検出した印刷媒体がディスク用ラベルであると判断する場合には（Ｓ４３：ＹＥＳ）、Ｓ４４に進んで、後述するディスク用印刷データ作成処理が行われた後に、Ｓ４５に進む。一方、上記Ｓ１４で検出した印刷媒体がディスク用ラベルでないと判断する場合には（Ｓ４３：ＮＯ）、何もすることなく、Ｓ４５に進む。
【００４２】
Ｓ４５では、ＲＡＭ２４に確保されたページカウンタをインクリメントし、Ｓ４６に進む。
【００４３】
Ｓ４６では、１ページ印刷処理が行われ、メイン印刷データを印刷機構ＰＭで印刷した後、Ｓ４７に進む。
【００４４】
Ｓ４７では、全ページ印刷が完了しているか否かを判断する。このとき、全ページ印刷が完了していないと判断する場合には（Ｓ４７：ＮＯ）、Ｓ４２に戻って、上述した処理を繰り返す。一方、全ページ印刷が完了していると判断する場合には（Ｓ４７：ＹＥＳ）、本体印刷処理は終了し、図１のＳ１２に復帰する。
【００４５】
次に、図２のＳ３７のＩ／Ｆ印刷処理について、図４に基づいて説明する。図２のＳ３７のＩ／Ｆ印刷処理では、図４に示すように、まず、Ｓ５１において、ＲＡＭ２４に確保されたページカウンタの初期化を行い、Ｓ５２に進む。
【００４６】
Ｓ５２では、ＲＡＭ２４に確保されたメモリ領域を使用して、外部装置ＷＰから受信したＩ／Ｆ印刷データからメイン印刷データを作成し、Ｓ５３に進む。
【００４７】
Ｓ５３では、上記Ｓ１４で検出した印刷媒体がディスク用ラベルであるか否かを判断する。ここで、ディスク用ラベルとは、円形ディスク専用ラベル８を指す。このとき、上記Ｓ１４で検出した印刷媒体がディスク用ラベルであると判断する場合には（Ｓ５３：ＹＥＳ）、Ｓ５４に進んで、後述するディスク用印刷データ作成処理が行われた後に、Ｓ５５に進む。一方、上記Ｓ１４で検出した印刷媒体がディスク用ラベルでないと判断する場合には（Ｓ５３：ＮＯ）、何もすることなく、Ｓ５５に進む。
【００４８】
Ｓ５５では、ＲＡＭ２４に確保されたページカウンタをインクリメントし、Ｓ５６に進む。
【００４９】
Ｓ５６では、１ページ印刷処理が行われ、メイン印刷データを印刷機構ＰＭで印刷した後、Ｓ５７に進む。
【００５０】
Ｓ５７では、全ページ印刷が完了しているか否かを判断する。このとき、全ページ印刷が完了していないと判断する場合には（Ｓ５７：ＮＯ）、Ｓ５２に戻って、上述した処理を繰り返す。一方、全ページ印刷が完了していると判断する場合には（Ｓ５７：ＹＥＳ）、Ｉ／Ｆ印刷処理は終了し、図１のＳ１２に復帰する。
【００５１】
次に、図３のＳ４４及び図４のＳ５４のディスク用印刷データ作成処理について、図５に基づいて説明する。図３のＳ４４及び図４のＳ５４のディスク用印刷データ作成処理では、図５に示すように、まず、Ｓ６１において、ディスク中央部を印刷するか否かを判断する。ここで、ディスク中央部とは、上述したように、円形ディスク専用ラベル８の中央カット領域１０１を指す。また、この判断は、例えば、ＬＣＤ１０において、「ディスク中央部を印刷するか？  する：１、しない：２」の表示を行い、キーボード６の「１」又は「２」の数字キーをユーザーが押下することにより行うことができる。このとき、例えば、キーボード６の「２」の数字キーが押下されることによって、ディスク中央部を印刷しないと判断する場合には（Ｓ６１：ＮＯ）、何もすることなく、終了し、図３のＳ４５又は図４のＳ５５に復帰する。一方、例えば、キーボード６の「１」の数字キーが押下されることによって、ディスク中央部を印刷すると判断する場合には（Ｓ６１：ＹＥＳ）、Ｓ６２に進む。
【００５２】
Ｓ６２では、ディスク中央部にページ番号を印刷するか否かを判断する。この判断は、例えば、ＬＣＤ１０において、「ディスク中央部にページ番号を印刷するか？  する：１、しない：２」の表示を行い、キーボード６の「１」又は「２」の数字キーをユーザーが押下することにより行うことができる。このとき、例えば、キーボード６の「１」の数字キーが押下されることによって、ディスク中央部にページ番号を印刷すると判断する場合には（Ｓ６２：ＹＥＳ）、Ｓ６３に進んで、ＲＡＭ２４に確保されたページカウンタからページ番号を読み込んだ後に、後述するＳ７１に進む。一方、例えば、キーボード６の「２」の数字キーが押下されることによって、ディスク中央部にページ番号を印刷しないと判断する場合には（Ｓ６２：ＮＯ）、Ｓ６４に進む。
【００５３】
Ｓ６４では、ディスク中央部に西暦での年・月・日・曜日・時・分・秒からなる日時情報を印刷するか否かを判断する。この判断は、例えば、ＬＣＤ１０において、「ディスク中央部に日時情報を印刷するか？  する：１、しない：２」の表示を行い、キーボード６の「１」又は「２」の数字キーをユーザーが押下することにより行うことができる。このとき、例えば、キーボード６の「１」の数字キーが押下されることによって、ディスク中央部に日時情報を印刷すると判断する場合には（Ｓ６４：ＹＥＳ）、Ｓ６５に進んで、日時情報更新処理が行われ、さらに、Ｓ６６に進んで、日時情報を読み込んだ後に、後述するＳ７１に進む。一方、例えば、キーボード６の「２」の数字キーが押下されることによって、ディスク中央部に日時情報を印刷しないと判断する場合には（Ｓ６４：ＮＯ）、Ｓ６７に進む。
【００５４】
日時情報は、ＲＡＭ２４に確保されたメモリ領域に上書きで記憶されている。尚、日時情報は、西暦での年・月・日・曜日・時・分・秒の組み合せだけに限るものではなく、これらの内の少なくとも１つであったり、和暦、十干十二支等であってもよい。
【００５５】
Ｓ６７では、ディスク中央部にテキスト情報を印刷するか否かを判断する。この判断は、例えば、ＬＣＤ１０において、「ディスク中央部にテキスト情報を印刷するか？  する：１、しない：２」の表示を行い、キーボード６の「１」又は「２」の数字キーをユーザーが押下することにより行うことができる。このとき、例えば、キーボード６の「１」の数字キーが押下されることによって、ディスク中央部にテキスト情報を印刷すると判断する場合には（Ｓ６７：ＹＥＳ）、Ｓ６８に進んで、ＲＡＭ２４に確保されたメモリ領域からディスク中央部に対するテキストデータを読み込んだ後に、後述するＳ７１に進む。一方、例えば、キーボード６の「２」の数字キーが押下されることによって、ディスク中央部にテキスト情報を印刷しないと判断する場合には（Ｓ６７：ＮＯ）、Ｓ６９に進む。
【００５６】
Ｓ６９では、ディスク中央部にイメージ情報を印刷するか否かを判断する。この判断は、例えば、ＬＣＤ１０において、「ディスク中央部にイメージ情報を印刷するか？  する：１、しない：２」の表示を行い、キーボード６の「１」又は「２」の数字キーをユーザーが押下することにより行うことができる。このとき、例えば、キーボード６の「１」の数字キーが押下されることによって、ディスク中央部にイメージ情報を印刷すると判断する場合には（Ｓ６９：ＹＥＳ）、Ｓ７０に進んで、ＲＡＭ２４に確保されたメモリ領域からディスク中央部に対するイメージデータ（写真などの画像データ）を読み込んだ後に、後述するＳ７１に進む。一方、例えば、キーボード６の「２」の数字キーが押下されることによって、ディスク中央部にイメージ情報を印刷しないと判断する場合には（Ｓ６９：ＮＯ）、何もすることなく、終了し、図３のＳ４５又は図４のＳ５５に復帰する。
【００５７】
Ｓ７１では、ＲＡＭ２４に確保されたメモリ領域を使用して、上記Ｓ６３，Ｓ６６，Ｓ６８，Ｓ７０のいずれかで読み込んだデータからディスク中央部印刷データを作成し、Ｓ７２に進む。
【００５８】
Ｓ７２では、ＲＡＭ２４に確保されたメモリ領域を使用して、上記Ｓ７１で作成されたディスク中央部印刷データをメイン印刷データに合成して、新たなメイン印刷データを作成し、その後は、ディスク用印刷データ作成処理は終了し、図３のＳ４５又は図４のＳ５５に復帰する。
【００５９】
次に、図１のＳ２６のディスク印刷種類設定処理について、図６に基づいて説明する。図１のＳ２６のディスク印刷種類設定処理では、図６に示すように、まず、Ｓ８１において、ディスク中央部にページ番号を印刷する設定がＯＮであるか否かを判断する。この判断は、例えば、ＬＣＤ１０において、「ディスク中央部にページ番号を印刷する設定は？  ＯＮ：１、ＯＦＦ：２」の表示を行い、キーボード６の「１」又は「２」の数字キーをユーザーが押下することにより行うことができる。このとき、例えば、キーボード６の「１」の数字キーが押下されることによって、ディスク中央部にページ番号を印刷する設定がＯＮであると判断する場合には（Ｓ８１：ＹＥＳ）、Ｓ８２に進んで、ＲＡＭ２４に確保されたメモリ領域を使用して、ディスク中央部にページ番号を印刷する設定をＯＮとし、その後に、Ｓ８４に進む。一方、例えば、キーボード６の「２」の数字キーが押下されることによって、ディスク中央部にページ番号を印刷する設定がＯＮでないと判断する場合には（Ｓ８１：ＮＯ）、Ｓ８３に進んで、ＲＡＭ２４に確保されたメモリ領域を使用して、ディスク中央部にページ番号を印刷する設定をＯＦＦとし、その後に、Ｓ８４に進む。
【００６０】
Ｓ８４では、ディスク中央部に日時情報を印刷する設定がＯＮであるか否かを判断する。この判断は、例えば、ＬＣＤ１０において、「ディスク中央部に日時情報を印刷する設定は？  ＯＮ：１、ＯＦＦ：２」の表示を行い、キーボード６の「１」又は「２」の数字キーをユーザーが押下することにより行うことができる。このとき、例えば、キーボード６の「１」の数字キーが押下されることによって、ディスク中央部に日時情報を印刷する設定がＯＮであると判断する場合には（Ｓ８４：ＹＥＳ）、Ｓ８５に進んで、ＲＡＭ２４に確保されたメモリ領域を使用して、ディスク中央部に日時情報を印刷する設定をＯＮとし、その後に、Ｓ８７に進む。一方、例えば、キーボード６の「２」の数字キーが押下されることによって、ディスク中央部に日時情報を印刷する設定がＯＮでないと判断する場合には（Ｓ８４：ＮＯ）、Ｓ８６に進んで、ＲＡＭ２４に確保されたメモリ領域を使用して、ディスク中央部に日時情報を印刷する設定をＯＦＦとし、その後に、Ｓ８７に進む。
【００６１】
Ｓ８７では、ディスク中央部にテキスト情報を印刷する設定がＯＮであるか否かを判断する。この判断は、例えば、ＬＣＤ１０において、「ディスク中央部にテキスト情報を印刷する設定は？  ＯＮ：１、ＯＦＦ：２」の表示を行い、キーボード６の「１」又は「２」の数字キーをユーザーが押下することにより行うことができる。このとき、例えば、キーボード６の「１」の数字キーが押下されることによって、ディスク中央部にテキスト情報を印刷する設定がＯＮであると判断する場合には（Ｓ８７：ＹＥＳ）、Ｓ８８に進んで、ＲＡＭ２４に確保されたメモリ領域を使用して、ディスク中央部にテキスト情報を印刷する設定をＯＮとし、その後に、Ｓ９０に進む。一方、例えば、キーボード６の「２」の数字キーが押下されることによって、ディスク中央部にテキスト情報を印刷する設定がＯＮでないと判断する場合には（Ｓ８７：ＮＯ）、Ｓ８９に進んで、ＲＡＭ２４に確保されたメモリ領域を使用して、ディスク中央部にテキスト情報を印刷する設定をＯＦＦとし、その後に、Ｓ９０に進む。
【００６２】
Ｓ９０では、ディスク中央部にイメージ情報を印刷する設定がＯＮであるか否かを判断する。この判断は、例えば、ＬＣＤ１０において、「ディスク中央部にイメージ情報を印刷する設定は？  ＯＮ：１、ＯＦＦ：２」の表示を行い、キーボード６の「１」又は「２」の数字キーをユーザーが押下することにより行うことができる。このとき、例えば、キーボード６の「１」の数字キーが押下されることによって、ディスク中央部にイメージ情報を印刷する設定がＯＮであると判断する場合には（Ｓ９０：ＹＥＳ）、Ｓ９１に進んで、ＲＡＭ２４に確保されたメモリ領域を使用して、ディスク中央部にイメージ情報を印刷する設定をＯＮとし、その後は、ディスク印刷種類設定処理が終了し、図１のＳ１２に復帰する。一方、例えば、キーボード６の「２」の数字キーが押下されることによって、ディスク中央部にイメージ情報を印刷する設定がＯＮでないと判断する場合には（Ｓ９０：ＮＯ）、Ｓ９２に進んで、ＲＡＭ２４に確保されたメモリ領域を使用して、ディスク中央部にイメージ情報を印刷する設定をＯＦＦとし、その後は、ディスク印刷種類設定処理が終了し、図１のＳ１２に復帰する。
【００６３】
尚、このディスク印刷種類設定処理において、ディスク中央部にページ番号を印刷する設定がＯＦＦにされると（Ｓ８３）、図５のＳ７１では、上記Ｓ６３で読み込んだデータを消去して、ディスク中央部印刷データを作成する。
また、ディスク中央部に日時情報を印刷する設定がＯＦＦにされると（Ｓ８６）、図５のＳ７１では、上記Ｓ６６で読み込んだデータを消去して、ディスク中央部印刷データを作成する。
また、ディスク中央部にテキスト情報を印刷する設定がＯＦＦにされると（Ｓ８９）、図５のＳ７１では、上記Ｓ６８で読み込んだデータを消去して、ディスク中央部印刷データを作成する。
また、ディスク中央部にイメージ情報を印刷する設定がＯＦＦにされると（Ｓ９２）、図５のＳ７１では、上記Ｓ７０で読み込んだデータを消去して、ディスク中央部印刷データを作成する。
【００６４】
以上詳細に説明したように、本実施の形態の印刷装置２では、図９（ｂ）に示すように、円形ディスク専用ラベル８に対し、中央カット領域１０１と環状ラベル領域１０２に情報などを同時に印刷することができる。そのために、本実施の形態の印刷装置２では、図５に示すディスク用印刷データ作成処理（図３のＳ４４と図４のＳ５４）のＳ７２において、中央カット領域１０１に対するディスク中央部印刷データを環状ラベル領域１０２に対するメイン印刷データに割り付けて、新たなメイン印刷データとし、さらに、当該新たなメイン印刷データは、図３に示す本体印刷処理のＳ４６又は図４に示すＩ／Ｆ印刷処理のＳ５６において、円形ディスク専用ラベル８に対し、中央カット領域１０１と環状ラベル領域１０２に印刷される。その結果、中央カット領域１０１にはディスク中央部印刷データが印刷され、環状ラベル領域１０２には割付前のメイン印刷データが印刷される。
【００６５】
この点、中央カット領域１０１に印刷されるディスク中央部印刷データには、ページ番号や、日時情報、テキスト情報、イメージ情報などがあり、いずれの情報を中央カット領域１０１に印刷するかによって、円形ディスク専用ラベル８の中央カット領域１０１の新たな用途が生まれ、また、広がり、円形ディスク専用ラベル８の中央カット領域１０１を有効に活用することができることから、資源の無駄遣いがなくなる。
【００６６】
また、中央カット領域１０１に印刷されるディスク中央部印刷データの内容が、円形ディスク専用ラベル８の環状ラベル領域１０２の貼付先であるデータ記録用の円形ディスクＤの記録内容とは関連しない場合もあり、この場合には、円形ディスク専用ラベル８の中央カット領域１０１は、当該円形ディスクＤを収めるジャケットＪ以外に貼付して使用することも可能である。
【００６７】
また、本実施の形態の印刷装置２では、図１のＳ２６のディスク印刷種類設定処理において、図６のフローチャートに従い、日時情報、ページ情報、テキスト情報、イメージ情報をディスク中央部に印刷するか否かの設定を行うことにより、中央カット領域１０１に印刷されることが許されるディスク中央部印刷データの種類をユーザーが選択することができるので、編集作業が容易となる。
【００６８】
特に、テキスト情報やイメージ情報などは、外部装置ＷＰから送出されたものが、中央カット領域１０１に印刷されるディスク中央部印刷データとして扱われることがあるので（Ｓ３３，Ｓ３５）、事前に、中央カット領域１０１に印刷されることが許されるディスク中央部印刷データの種類をユーザーが選択することは、混乱を防止する上で有意義である。
【００６９】
尚、本発明は上記実施の形態に限定されるものでなく、その趣旨を逸脱しない範囲で様々な変更が可能である。
例えば、本実施の形態の印刷装置２では、印刷用テープＴ，インクリボン，及び両面テープ等が図示しない矩形状のテープ収納カセットに一体的に内蔵されたものをセットするものであるが、この点、感熱紙からなる円形ディスク専用ラベル８がロール状に巻かれたものをセットするものであってもよい。
また、ディスク中央部印刷データとして、上記実施の形態で説明した各種情報のほかに、バーコード情報、色彩情報などを用いてもよい。
【産業上の利用可能性】
【００７０】
本発明は、印刷媒体の不要部分への印刷技術に適用し得る。
【図面の簡単な説明】
【００７１】
【図１】メイン処理の手順を示したフローチャートである。
【図２】メイン処理の手順を示したフローチャートである。
【図３】本体印刷処理の手順を示したフローチャートである。
【図４】Ｉ／Ｆ印刷処理の手順を示したフローチャートである。
【図５】ディスク印刷データ作成処理の手順を示したフローチャートである。
【図６】ディスク印刷種類設定処理の手順を示したフローチャートである。
【図７】印刷装置の外観を示す図である。
【図８】印刷装置の制御系の構成を示すブロック図である。
【図９】従来の印刷装置で印刷された円形ディスク専用ラベルの使用例を示した図である。
【図１０】従来の印刷装置で印刷された円形ディスク専用ラベルの使用例を示した図である。
【符号の説明】
【００７２】
２  印刷装置
６  キーボード
８  円形ディスク専用ラベル（印刷用テープ）
１０  液晶ディスプレイ
１２  サーマルヘッド
１４  制御回路
１６  ＣＰＵ
２４  ＲＡＭ
２６  入出力インターフェース
４２  Ｉ／Ｆボード
１０１  中央カット領域
１０２  環状ラベル領域
Ｄ  円形ディスク
Ｊ  ジャケット
ＷＰ  外部装置
【図１】
2006102951.tif 000003
【図２】
2006102951.tif 000004
【図３】
2006102951.tif 000005
【図４】
2006102951.tif 000006
【図５】
2006102951.tif 000007
【図６】
2006102951.tif 000008
【図７】
2006102951.tif 000009
【図８】
2006102951.tif 000010
【図９】
2006102951.tif 000011
【図１０】
2006102951.tif 000012